(57)【特許請求の範囲】
【請求項１】
シート家具、特に、シートプレート、シートプレート支持体、及び背もたれ支持体を有する事務用椅子におけるシートと背もたれの配置構造であって、
前記シートプレート（1）は、前側の膝側端部（2）の領域において、前記シートプレート支持体（3）に対して移動可能に連結され、シートプレート後端部（5）の領域において、第１ジョイント（7）を介して前記背もたれ支持体（6）に移動可能に連結され、
前記背もたれ支持体（6）は、第２ジョイント（8）を介して前記シートプレート支持体（3）に対して変位可能に連結され、
前記シートプレート（1）と背もたれ支持体（6）にクッションを与えるスプリング手段（4）が、前記シートプレート（1）前側の膝側端部（2）の領域で、前記シートプレート（1）と前記シートプレート支持体（3）の間に配置され、前記シートプレート（1）を前記シートプレート支持体（3）に対して移動可能に連結するためのＵ形状ばねからなり、さらに、前記シートプレート（1）に対する前記ばねのバネ力を変えるための調整装置（27）を有することを特徴とするシートと背もたれの配置構造。
【請求項２】
前記シートプレート（1）は、第３ジョイント（26）を介して前記シートプレート支持体（3）に連結されていることを特徴とする請求項１に記載のシートと背もたれの配置構造。
【請求項３】
さらに、前記シートプレート（1）、前記背もたれ支持体（6）、及び前記スプリング手段（4）の動きを抑止するブロッキング機構を有することを特徴とする請求項１または請求項２記載のシートと背もたれの配置構造。
【請求項４】
前記ブロッキング機構は、グリッド要素（13）にかみ合うことが可能なタング（12）を含んでいることを特徴とする請求項３記載のシートと背もたれの配置構造。
【請求項５】
前記タング（12）は、前記シートプレート（1）または前記シートプレート支持体（3）上に変位可能に配置され、かつ前記グリッド要素（13）は、前記シートプレート支持体（3）または前記シートプレート（1）に配置されていることを特徴とする請求項４記載のシートと背もたれの配置構造。
【請求項６】
前記ブロッキング機構は、前記タング（12）が前記グリッド要素（13）とのかみ合い状態を保持できるスプリング要素（20）を含んでいることを特徴とする請求項３〜５のいずれかに記載のシートと背もたれの配置構造。
【請求項７】
前記ブロッキング機構は、前記タング（12）が前記グリッド要素（13）とのかみ合いを抑止できるロッキング手段（25）を含んでいることを特徴とする請求項３〜６のいずれかに記載のシートと背もたれの配置構造。
【請求項８】
前記調整装置（27）は、前記シートプレート支持体（3）と前記シートプレート（1）の両方またはいずれか一方に配置されることを特徴とする請求項１〜７のいずれかに記載のシートと背もたれの配置構造。
【請求項９】
前記シートプレート（1）と前記背もたれ支持体（6）の間の前記第１ジョイント（7）は、前記背もたれ支持体（6）上またはその内部において、移動および固定可能に配置されている構造体（29）を含んでいることを特徴とする請求項１〜８のいずれかに記載のシートと背もたれの配置構造。
【請求項１０】
請求項１〜９の１つまたは複数の請求項に従うシートと背もたれの配置構造を含んでいることを特徴とするシート家具、特に事務用椅子。
【発明の詳細な説明】
【０００１】
【発明の属する技術分野】
本発明は、請求項１の前提要件に従うシート家具に関し、特に、シートプレート、シートプレート支持体、および背もたれ支持体を含む事務用椅子におけるシートと背もたれの配置構造に関する。このシートプレートは、その前側領域において、膝側端部がシート支持体に移動可能に連結され、後側領域において、背もたれ支持体に移動可能に連結され、さらに、背もたれ支持体がシートプレート支持体に対して変位可能に連結されている。
【０００２】
【従来の技術】
一般的なシートと背もたれの配置構造は、特に、快適なシートを得るために、シート高さ及びシート深さの調整、さらに特定要求に対する背もたれのスプリング装置の調整を可能にする事務用椅子において良く知られている。これら全ての要求を満足する事務用椅子は、たとえ、シート家具製品の作動および設計が便利なものであり、かつ最高水準の品質を満足するものであったとしても、市場において、とても高価であると考えられている。
【０００３】
一般的な仕事用椅子または事務用椅子は、高さ調整可能なシート支持体と、このシート支持体に関係する傾きを調整できるシートプレートと、シートプレートに対する傾きが自動的に調整される背もたれ支持体とを有する。このシートプレートの傾きについてはスイス特許第６５９１７９号に記載されている。このシンクロ作動の仕事用椅子において、シートの傾きと背もたれの傾きは、互いに機能に従って調整され、またその調整は、複雑でかつ多数部品によるスプリングアセンブリによって和らげられる。
【０００４】
【発明が解決しようとする課題】
本発明の目的は、単純な設計でわずかな個別部品からなり、それにもかかわらず、高い機能と品質を維持できる、シート家具、特に、事務用椅子におけるシートと背もたれの配置構造を提供することである。
【０００５】
【課題を解決するための手段】
この目的は、独立した請求項１の特徴によって達成される。好ましい実施形態及び本発明に従うシート及び背もたれの配置構造の改良、及び対応するシート家具及び事務用椅子の構成が従属請求項に記載されている。
【０００６】
本発明の例示的な実施形態は、以下でより詳しく説明されるが、本発明の範囲を制限するものではなく、概略図に関連して説明される。
【０００７】
【発明の実施の形態】
図１は、本発明に従う第１実施形態のシートと背もたれの配置構造の断面図を示す。この装置前側の膝端部２における領域において、シートプレート１は、スプリング手段４（ここでは、Ｕ形状のリーフばねの形で）を介してシートプレート支持体３に連結されている。このような機構を有する椅子に座る人は、シートプレート１がスプリング手段４のばね作用のためにわずかに下降することを確認するであろう。
【０００８】
これは、好ましくは、詰め物をして布が張られたシートカバーとともに、顧客が望むシートの心地よさを与えることになる。別の実施形態では、スプリング手段４は、１つまたはそれ以上のトーションばね(図示略)または他のスプリング手段の形で実現でき、このスプリング手段は、その前側の膝端部２の領域において、シートプレートがシートプレート支持体３に関して移動可能にかつ弾性的に固定することが可能である。
【０００９】
シートプレートの後端部５の領域において、シートプレート１は、背もたれ支持体６に移動可能に連結されている。この移動可能な連結は、第１ジョイント７を介して生じる。さらに、背もたれ支持体６は、第２ジョイント８を介してシートプレート支持体３に連結される。この第２ジョイント８は、シートプレート支持体３の各側面にそれぞれローラ９を含み、ローラは、ここでは、シートプレート支持体３に固定される。背もたれ支持体６は、２つのローラ９に対応したガイド１０を有し、このガイド内でローラ９は、変位可能に配置される。別の例では、ガイド１０として作用する凹部が示されており、ローラ９は、シートプレート１に固定することができ、また、ローラ９を案内する凹部又は他の手段（レールおよび同等物等）をシートプレート支持体３上に配置することができる。
【００１０】
人がこの椅子に座るとき、シートプレート１とこれに一体の第１ジョイント７は、記述するように降下する。このシートプレート１は、第１ジョイント７を介して背もたれ支持体６に移動可能に連結されているので、背もたれ支持体６は、またいくらか下方に移動する。背もたれ支持体６は、記述した方法でシートプレート支持体３に変位可能に連結されているので、この動きを実行することができる。この背もたれ支持体６の下方への変位によって、スプリング手段４と２つのジョイント７，８の配置構造は、背もたれ１１を後方に僅かに移動する動作を生じさせる。それゆえ、この機構は、シンクロ機構と呼ばれ、シートプレート１、背もたれ支持体６、および背もたれ１１が、スプリング手段４と２つのジョイント７，８によってクッション機能をもたらす。重量のある人になればなるほど、シートプレート１および背もたれ１１は、記述した方法で互いにシンクロ的により大きく移動する。
【００１１】
人が立ち上がると、本発明に従うシートと背もたれの配置構造の第１の最も単純な実施形態において、背もたれ１１とシートプレート１の両方が後方に移動し、スプリング手段４により再び正規位置に戻る。
【００１２】
人が背もたれを後方に傾けると、背もたれ支持体６および２つのジョイント７，８を介してシートプレート１に連結されている背もたれ１１に対して付加的な圧力が働き、最初、背もたれ１１が幾分後方に傾き、次に（弾性レバー作用により）シートプレート１がいくらか降下する。スプリング手段４は、これらの２つの動きに対抗するので、このことから、シンクロ機構とも称される。実際に、シート家具、特に事務用椅子において、本発明に従うシートと背もたれの配置構造は、このシンクロ機構を和らげるためのスプリング手段４をただ１つ必要とする。
【００１３】
また、本発明に従うシートと背もたれの配置構造における第１実施形態が、図２においても示されている。座っている時、不快となるような事務用椅子のロッキングを取り除くことができるように、この実施形態では、シートプレートと背もたれ支持体のスプリング装置をブロックする機構を含んでいる。
【００１４】
この機構は、グリッド要素１３と係合するタング(tongue)１２を含む。この実施形態では、タング１２は、グリッド要素１３の歯１５間にかみ合うグリッドボルト１４を含む。このグリッドボルト１４は、ガイドシリンダ１７内で変位可能に配置されるピストン１６に固定される。ガイドシリンダ１７は、シートプレート１の下方側面１８に固定され、またグリッド要素１３は、シートプレート支持体３に固定される。シートプレート１の前側、即ち膝側端部２の領域におけるスプリング手段４は、シートプレート１とシートプレート支持体３との間のジョイントとして作用する。
【００１５】
このスプリング手段４の可動性は、タング１２またはグリッド要素１３上のグリッドボルト１４の係合によって阻止され、その結果、シートプレート１とシートプレート支持体３の間の安定した連結が与えられる。タング１２は、ピストン１６をスプリング要素２０に連結するアクチベータロッド１９を含む。作動ロッド２１は、好ましくはその端部に操作ノブ２２を有し、トーションばねとして設計されているスプリング要素２０に係合する。この操作ノブは、スプリング装置２４によって作動する突起２３を含む。
【００１６】
操作ノブ２２が、（図２参照）の位置に配置されているとき、スプリング要素２０にトルクが作用する。トーションばねがアクチベータロッド１９を引張り、その結果、ピストン１６とグリッドボルト１４を引き寄せる。タング１２は、（図２に示すように）調整位置にある。それゆえ、ブロッキング機構は、タング１２をグリッド要素１３内に係合し続けるロッキング手段２５を含む。
【００１７】
操作ノブ２２が、位置Ｂ（図２参照）に回転すると、押圧されたトルクは、スプリング要素２０に作用する。このトーションばねがアクチベータロッド１９を押圧し、その結果、ピストン１６を押圧し、さらにグリッドボルト１４を押圧する。タング１２は、ロッキング即ちブロッキング位置にある。
【００１８】
位置ａから位置ｂに変更する間、操作ノブ２２の突起２３は、スプリング装置２４の抵抗に打勝たねばならない。この抵抗は、たとえ操作ノブ２２とスプリング要素２０の間に常時トルクがあったとしても、操作ノブ２２が他の各位置に意図せずに回転することが可能ではないようにすれば十分である。それゆえ、トーションばねは、常にグリッドボルト１４上に力が作用し、その結果、グリッドボルトが対応する端部位置をとるように試みる。シートプレートと背もたれ支持体のスプリング装置を阻止しようとする試行中に、グリッドボルト１４がグリッド要素１３の歯１５に正確にはめ込められる。シートプレート１への負荷が和らげられ、または付加的な重量を受けるとき、グリッドボルト１４は、最も接近したギャップ内に自動的にはまり込むことになる。
【００１９】
図２ａ及び図２ｂの説明から離れて、ブロッキング機構は、完全に異なる方法で実現することもできる。例えば、タング１２は、シートプレート支持体３上を変位可能に配置され、グリッド要素をシートプレート１上に配置することができる。スプリング要素２０は、例えば、リーフばねとして設計することも可能である。同様に、作動ロッド２１と操作ノブ２２の形状及び配置、また、スプリング装置２４の形状及び配置は、少なくともこれまで記述してきた機能が保証されるならば、当業者による裁量の余地がある。
【００２０】
例えば、図２ｃと図２ｄに示されるように、操作ノブ２２の代わりにチルトレバーを選択することは、同様に有効であることがわかる。このチルトレバーは、位置ｃに回転できるプリセレクタアームとして言及されるものと同様に役立つ。ここで２つの歯として設計されるグリッドボルト１４の位置決めがなされる。トーションばねとして設計されるスプリング手段４は、プレストレスを形成し（図２ｃの矢印を参照）、グリッドボルト１４をグリッド要素１３に対して押圧する。グリッドボルト１４とグリッド要素１３が正確に一致しない場合、グリッドボルト１４は、グリッド要素１３（図２ｃ参照）に係合できない。プリセレクタアームは、プリセレクタアームを押圧するスプリング装置２４のために、元の位置に旋回することができない。
【００２１】
グリッド要素１３に関してグリッドボルト１４の垂直移動（シートが小さな負荷を受けるまたは解放することによって）は、トーションばねの一定のプレストレスのために（図２ｄ参照）、グリッドボルト１４自体を適当な位置にラッチすることができる。
【００２２】
別のロッキング位置が所望であれば、プレセレクタアームは、他面側で回転することができ、その位置決めはキャンセルされる。トーションばねは、反対方向にストレスを与え（図２ｅの矢印を参照）、そしてグリッドボルト１４を引っ張る。しかし、スプリング要素２０および座った人の重量によって生じたストレスは、グリッド要素１３の歯とグリッドボルト１４との間の摩擦力が非常に大きくなる（図２ｅ）ことを意味するので、グリッドボルトは、グリッド要素１３から離れることができない。スプリング装置２４がプレセレクタアームを押圧するので、プレセレクタアームは、以前の位置内に旋回して戻ることができない。
【００２３】
グリッドボルト１４をグリッド要素１３に対して垂直方向に移動することによってのみ（シートが小さな負荷を受けるかまたは取り除かれることにより）、摩擦力をなくすことができ、そして、グリッドボルト１４は、トーションばねの一定のプリストレスのために、元に引っ張られる。この実施形態では、グリッドボルトを移動するためにチルトレバーの位置が変化するとき、シートに意図しないバネ力が作用するのを避ける。
【００２４】
図３は、本発明の第２実施形態に従うシートと背もたれの配置構造を示す。この実施形態は、第１実施形態とは、第３ジョイント２６がシートプレート前側の膝側端部の領域に配置され、このシートプレート１をシートプレート支持体３に連結するという点で相違する。既に述べたシンクロ機構、およびこの機構によって、シートプレート１、背もたれ支持体６および背もたれ１１は、単一のスプリング手段４または他の、複数のスプリング手段４と２つのジョイント７，８によってクッションを受け、第３ジョイント２６によって損なわれることはない。これに反して、第３ジョイント２６は、スプリング手段４のばね力を変更することによって、調整手段（調整装置）２７を負荷的に用いることが可能である。これは、図４においてより詳細に説明される。
【００２５】
ここで説明される第２実施形態における本発明のシートと背もたれの配置構造は、付加的なシート深さ調整装置を含む。すでに述べたように、背もたれ支持体６は、第２ジョイント８を介してシートプレート支持体３に対して変位可能に連結されている。シートプレート１と背もたれ支持体６の間の第１ジョイント７は、同様に変位可能な設計であるので、背もたれ支持体６は、シート面２８に対して変位することができる。これは、背もたれ支持体６内または背もたれ支持体上で変位可能に配置される構造体２９を含むジョイント７によって可能になる。この目的のために、背もたれ支持体６は、ガイド要素３０を有し、ここで用いられるガイド要素は、凹部として設計され、この凹部内に構造体２９が摺動できるように配置されている。背もたれ１１をシート面２８に対して所定位置に設定しかつ固定できるようにするために、この構造体２９は、制御レバー３２が係合するグリッドスロット３１を有する。制御レバー３２は、１つのジョイントを介して背もたれ支持体６に配置され、かつ構造体２９に対して常時ばね力で押圧されていることが望ましい。それゆえ、制御レバーはグリッドスロット３１内に押圧される。この手段により、シート深さ調整装置は、ロック可能に設計されている。
【００２６】
このシート深さ調整装置を開放するために、制御レバー３２の後部３３を押圧することができる。これにより、制御レバー３２のグリッド部分３４を構造体２９内の対応するスロット３１から持ち上げ、背もたれ支持体６が前方または後方に移動できるようにする。この工程において、背もたれ支持体６は、シートプレート１の後部領域において固定される第２ジョイントに対して摺動しながら移動する。所望のシート深さに達すると、制御レバー３２を移動させて、レバーのグリッド部分３４を構造体２９内のグリッドスロット３１に係合することができる。
【００２７】
本発明の第１実施形態（図１参照）に従うシートと背もたれの配置構造は、付加的なシート深さ調整装置(図示略)を備えることもできる。
図４は、本発明に従うシートと背もたれの配置構造を示しており、この第２実施形態では、付加的な調整装置２７を有し、この装置を用いて、スプリング手段４のばね力を変更できる。この例示的な実施形態は、シートプレート支持体３上に配置される軸受プレート３５を含み、このプレート内に調整ボルト３６がねじ孔を介して案内されている。ローレットホイール３７が調整ボルト３６にはめ込められ、このホイールは、軸受プレート３５に対して調整ボルトの位置を手で変えるのに用いることができる。スプリング手段４のこの部分（ここで、スプリング手段４の下方リム３８）は、シートプレート支持体３上で作用し、調整ボルト３６に対して常時作用する。その結果、この調整ボルトの位置の調整によって、スプリング手段４のばね力における変化を生じさせる。
【００２８】
本発明の第１実施形態（図１参照）に従うシートと背もたれの配置構造は、また、付加的な調整装置２７を設けることもでき、この調整装置を用いて、スプリング手段４のばね力を変更することができる(図示略)。
【００２９】
スプリング手段４のばね力を調整するために、ここで示された配置構造の単純な設計に対する別の実施形態として、図８において、本願と同一の出願人による国際特許出願PCT/CH97/00378に記載されているような装置を選択することができる。ここで、軸受プレートは、シートプレート支持体に対して傾斜して配置され、かつ軸受プレートに対してほぼ直交して伸びるガイドプレートを有する。このガイドプレートにほぼ平行に伸びる制御スピンドルは、軸受プレートに回転可能に取付けられ、軸受プレートを突き抜け、その先端部に制御スピンドルを回転するための回転ノブを有する。制御スピンドルの後端部は対向するガイドプレートに取付けられている。制御構造体は、内ねじを有しており、この内ねじに対応する制御スピンドルの外ねじが螺合し、制御構造体を貫通している。この結果、制御スピンドルが回転すると、軸受プレートからの制御構造体の距離が変化する。制御構造体の側部に少なくとも１つのローラが接触し、ガイドプレートに沿って転動し、制御構造体と共に常に移動する。
【００３０】
このローラは、図４の例示に対応して、シートプレート支持体３上で作用するスプリング手段４のある部分、ここでは、スプリング手段４の下方リム３８によって動作する。その結果、この下方リム３８とガイドプレートとの角度が互いに鋭角となる。制御構造体の位置と、これに連結されたローラの位置が変わると、このローラは、ガイドプレートに沿って転動し、下方リム３８に対して傾斜した平面として作用し、この下方リム３８に従って上方または下方に移動する。この配置構造の利点は、非常に強いスプリング手段４のばね力を和らげることができることにある。人が調整しなければならない力は、一方で、リーフばね手段４の下方リム３８と本装置のガイドプレートとの間に形成される角度によって規定される。また、他方で、スピンドルを調整する傾きは、この調整力に影響を与える。
【００３１】
全ての図面において、同一の参照符号が対応する部材に用いられている。また、望ましい実施形態の組み合わせが、本発明の範囲に関連して示されかつ記載してきた。
【００３２】
シート家具における本発明のシートと背もたれの配置構造および従来技術と比較されるようなシート家具及び事務用椅子の利点は、以下のことを含んでいる。スプリング手段４は、特にＵ形状のリーフばねまたは同等物として設計されている場合、非常にフラットな機構の構造体を作ることが可能になり、またシートと背もたれに関するシンクロ機構を補助する。
【００３３】
この単純な設計及び少数で多機能の部品によって、より単純でかつ迅速な取付けを可能にしかつ最適な品質を保証する。
【図面の簡単な説明】
【図１】  図１は、シートプレート及び背もたれ支持スプリング装置を有する本発明に従う第１実施形態のシートと背もたれの配置構造を示す断面図である。
【図２】  図２は、シートプレートと背もたれ支持スプリング装置を固定するための機構を有する図１に相当する断面図である。
【図３】  付加的なシート深さ調整装置を有する本発明に従う第２実施形態のシートと背もたれの配置構造を示す断面図である。
【図４】  図４は、スプリング手段のバネ力を変えるための調整手段を有する図３に相当する断面図を示す。
【図１】
0004543362.tif 000002
【図２】
0004543362.tif 000003
【図３】
0004543362.tif 000004
【図４】
0004543362.tif 000005